(57)【要約】      （修正有）【課題】  連続番組をまとめる編集の際に、オープニングおよびエンディングの記録を必要最小限とできる。【解決手段】  連続番組の第１話目から第３話目までの番組をハードディスクからＤＶＤに順に記録する場合、記録される番組の中で最初の番組である第１話目の番組に関して、オープニングと本編とが記録され、ＣＭとエンディングとが記録されない。第２話目の番組は、本編が記録され、オープニング、ＣＭおよびエンディングが記録されない。記録される番組の中で最も新しい回の第３話目の番組は、本編とエンディングが記録され、オープニングとコマーシャルとが記録されない。この処理によって、ＤＶＤには、コマーシャル部分が削除され、オープニングとエンディングが重複して記録されないように編集された結果のデータが記録される。【選択図】  図２４
2006229565.tif 000002
【特許請求の範囲】
【請求項１】
連続番組の関係の複数の番組に対応する複数のコンテンツを編集する編集装置において、
コンテンツのそれぞれの特徴量を抽出する特徴量抽出部と、
上記特徴量抽出部によって抽出された上記特徴量を比較して、放送回が異なる二つのコンテンツの内容が同じか否かを検出する比較部と、
上記比較部の比較結果から同じことを示す第１のフラグと、相違することを示す第２のフラグを生成するフラグ生成部とを有し、
上記第１および第２のフラグにしたがって上記複数のコンテンツが放送順に連続するコンテンツを作成する編集装置。
【請求項２】
請求項１において、
上記第１のフラグによって示される、上記複数のコンテンツの中で最初に放送された番組に対応するコンテンツのオープニングと、上記複数のコンテンツの中で最後に放送された番組に対応するコンテンツのエンディングとを残し、残りのコンテンツのオープニングおよびエンディングを除外するように編集する編集装置。
【請求項３】
請求項１において、
上記複数のコンテンツが録画番組の前の番組の延長によって延長されたか否かを示す第３のフラグが付加されており、
上記比較部における比較時に、上記第３のフラグを参照して比較される二つのコンテンツの時間ずれを補正する編集装置。
【請求項４】
請求項１において、
さらに、上記複数のコンテンツ中のコマーシャル部分を検出し、検出されたコマーシャル部分に対応する第４のフラグを生成し、
上記第４のフラグにしたがってコマーシャル部分を除外する編集を行う編集装置。
【請求項５】
請求項１において、
上記第１および第２のフラグの時間を調整可能とした編集装置。
【請求項６】
連続番組の関係の複数の番組に対応する複数のコンテンツを編集する編集方法において、
コンテンツのそれぞれの特徴量を抽出する特徴量抽出ステップと、
上記特徴量抽出ステップによって抽出された上記特徴量を比較して、放送回が異なる二つのコンテンツの内容が同じか否かを検出する比較ステップと、
上記比較ステップの比較結果から同じことを示す第１のフラグと、相違することを示す第２のフラグを生成するフラグ生成ステップとを有し、
上記第１および第２のフラグにしたがって上記複数のコンテンツが放送順に連続するコンテンツを作成する編集方法。
【請求項７】
連続番組の関係の複数の番組に対応する複数のコンテンツを編集する編集方法のプログラムにおいて、
コンテンツのそれぞれの特徴量を抽出する特徴量抽出ステップと、
上記特徴量抽出ステップによって抽出された上記特徴量を比較して、放送回が異なる二つのコンテンツの内容が同じか否かを検出する比較ステップと、
上記比較ステップの比較結果から同じことを示す第１のフラグと、相違することを示す第２のフラグを生成するフラグ生成ステップとを有し、
上記第１および第２のフラグにしたがって上記複数のコンテンツが放送順に連続するコンテンツを作成する編集方法のプログラムをコンピュータに実行させるための編集プログラム。
【請求項８】
連続番組の関係の複数の番組に対応する複数のコンテンツを編集し、編集結果を記録媒体に記録する記録装置において、
コンテンツのそれぞれの特徴量を抽出する特徴量抽出部と、
上記特徴量抽出部によって抽出された上記特徴量を比較して、放送回が異なる二つのコンテンツの内容が同じか否かを検出する比較部と、
上記比較部の比較結果から同じことを示す第１のフラグと、相違することを示す第２のフラグを生成するフラグ生成部とを有し、
上記第１および第２のフラグにしたがって上記複数のコンテンツが放送順に連続するコンテンツを作成し、作成されたコンテンツを記録する記録装置。
【発明の詳細な説明】
【技術分野】
【０００１】
この発明は、テレビジョン放送の連続番組を記録媒体に記録する時に自動的に編集を行う編集装置、編集方法、編集プログラムおよび記録装置に関する。
【背景技術】
【０００２】
近年、ハードディスクにテレビジョン放送番組を記録する録画再生装置が普及しつつある。このような録画再生装置の利便性を向上するために、さまざまな提案がなされている。例えば、下記の特許文献１には、ユーザの嗜好情報のデータベースを構築し、ユーザが指定した嗜好情報と放送番組情報（以下、ＥＰＧ（Electrical Program Guide)情報と適
宜称する）に基づいて嗜好度の高い番組を自動的に録画することによって、嗜好情報に合った番組を迅速に予約録画できる情報処理システムが記載されている。
【０００３】
【特許文献１】特開２００４−８０６２０号公報
【０００４】
例えば毎週放映されるドラマ、アニメーション等の連載もの（以下、シリーズと適宜称する）が自動録画の対象とされ、蓄積メディアとしてのハードディスク上に複数回の番組が自動的に記録される。通常、ハードディスク上には、多数の番組が録画されており、また、ハードディスクの容量を有効活用し、さらに、将来にわたって特定のシリーズの番組を視聴するために、特定のシリーズの番組をハードディスクから他の蓄積メディア例えばＤＶＤ（Digital Versatile Disc）、Ｂｌｕ−ｒａｙ  Ｄｉｓｃ（登録商標）等の着脱自在な蓄積メディアに記録することが行われる。
【０００５】
通常、シリーズの番組は、番組の冒頭部分（以下、オープニングと適宜称する）、本編部分並びに番組の最後の部分（以下、エンディングと適宜称する）の構成を有し、オープニングとエンディングが毎回同じ内容であることが多い。したがって、蓄積メディアにハードディスクに録画されているシリーズの番組をダビングする場合、各回のオープニングまたはエンディングを常に記録することは無駄である。そのため、ユーザは、ダビング時に、そのような重複部分を取り除くように手動で編集を行っていた。
【発明の開示】
【発明が解決しようとする課題】
【０００６】
しかしながら、手動編集は、重複部分、コマーシャル（以下、ＣＭと表記する）等の番組の不要な部分をユーザが手動で選択して削除するため、番組の編集に多くの時間と労力を費やさなければならなかった。また、そのような労力を避けるために、シリーズの番組を記録する際に、編集を行なわずに不要な部分を含めてＤＶＤ等の蓄積メディアに記録するようになされる。その場合には、蓄積メディアの記憶容量が無駄に使用されるので、圧縮符号化の圧縮率を高くする必要が生じ、記録された画像の画質が劣化する問題が生じる。また、蓄積メディアを再生する際に、ユーザは、不要な部分を視聴することを避けるために、倍速再生等の操作を行う必要があった。
【０００７】
したがって、この発明の目的は、連続番組を蓄積メディアにダビングする際に、不要な部分を記録することを自動的に回避して手動編集の手間を省くことができる編集装置、編集方法、編集プログラムおよび記録装置を提供することにある。
【課題を解決するための手段】
【０００８】
上述した課題を解決するために、この発明の第１の形態は、連続番組の関係の複数の番組に対応する複数のコンテンツを編集する編集装置において、
コンテンツのそれぞれの特徴量を抽出する特徴量抽出部と、
特徴量抽出部によって抽出された特徴量を比較して、放送回が異なる二つのコンテンツの内容が同じか否かを検出する比較部と、
比較部の比較結果から同じことを示す第１のフラグと、相違することを示す第２のフラグを生成するフラグ生成部とを有し、
第１および第２のフラグにしたがって複数のコンテンツが放送順に連続するコンテンツを作成する編集装置である。
【０００９】
また、この発明の第２の形態は、連続番組の関係の複数の番組に対応する複数のコンテンツを編集する編集方法において、
コンテンツのそれぞれの特徴量を抽出する特徴量抽出ステップと、
特徴量抽出ステップによって抽出された特徴量を比較して、放送回が異なる二つのコンテンツの内容が同じか否かを検出する比較ステップと、
比較ステップの比較結果から同じことを示す第１のフラグと、相違することを示す第２のフラグを生成するフラグ生成ステップとを有し、
第１および第２のフラグにしたがって複数のコンテンツが放送順に連続するコンテンツを作成する編集方法である。
【００１０】
また、この発明の第３の形態は、連続番組の関係の複数の番組に対応する複数のコンテンツを編集する編集方法のプログラムにおいて、
コンテンツのそれぞれの特徴量を抽出する特徴量抽出ステップと、
特徴量抽出ステップによって抽出された特徴量を比較して、放送回が異なる二つのコンテンツの内容が同じか否かを検出する比較ステップと、
比較ステップの比較結果から同じことを示す第１のフラグと、相違することを示す第２のフラグを生成するフラグ生成ステップとを有し、
第１および第２のフラグにしたがって複数のコンテンツが放送順に連続するコンテンツを作成する編集方法のプログラムをコンピュータに実行させるための編集プログラムである。
【００１１】
また、この発明の第４の形態は、連続番組の関係の複数の番組に対応する複数のコンテンツを編集し、編集結果を記録媒体に記録する記録装置において、
コンテンツのそれぞれの特徴量を抽出する特徴量抽出部と、
特徴量抽出部によって抽出された特徴量を比較して、放送回が異なる二つのコンテンツの内容が同じか否かを検出する比較部と、
比較部の比較結果から同じことを示す第１のフラグと、相違することを示す第２のフラグを生成するフラグ生成部とを有し、
第１および第２のフラグにしたがって複数のコンテンツが放送順に連続するコンテンツを作成し、作成されたコンテンツを記録する記録装置である。
【発明の効果】
【００１２】
この発明によれば、例えばハードディスクに記録されている連続番組の複数回の番組を他の蓄積メディア例えば１枚の光ディスクに記録する際に、オープニングおよびエンディングのように、重複する部分を記録することを避けることができる。また、記録される連続番組の最初のものにオープニングを付加し、その最後のものにエンディングを付加することによって、オープニングおよびエンディングを視聴することが可能となる。さらに、ＣＭをカットすることができる。これらの編集処理が自動的になされるので、手動編集と比較して手間がかからない利点がある。また、蓄積メディアの容量を有効利用し、データの圧縮率が高くなることを防止でき、画質劣化を防止できる。
【発明を実施するための最良の形態】
【００１３】
以下、この発明の一実施形態について図面を参照して説明する。図１は、この発明の一実施形態による編集装置を編集機能として備える録画再生装置１の構成の一例を示す。
【００１４】
録画再生装置１は、ＭＰＥＧ（Moving Picture Experts Group）−２方式のトランスポートストリーム（ＴＳ：Transport Stream）に伝送路符号化を施してなるデジタル放送信号を受信し、受信したデジタル放送信号から所望の番組をＭＰＥＧ−２方式で記録媒体に録画するものである。また、録画再生装置１は、ＭＰＥＧ−２方式で記録媒体に録画されている番組から、所望の番組を再生するものである。なお、この例では、ビデオ信号およびオーディオ信号の圧縮符号化方式として、ＭＰＥＧ−２方式を用いているが、圧縮符号化方式は、特にＭＰＥＧ−２方式に限定されるものではない。
【００１５】
録画再生装置１は、チューナ２、復調回路３、デスクランブラ４、カードインタフェース（Ｉ／Ｆ）５、デマルチプレクサ（ＤＥＭＵＸ）６、ビデオデコーダ７、オーディオデコーダ８、特徴量抽出回路９および提示処理回路１０からなる信号処理部と、ＣＰＵ（Central Processing Unit）１１、ＲＯＭ（Read Only Memory）１２、ＲＡＭ（Random Access Memory）１３、コントローラ１４、計時回路１５およびリモコンインタフェース（Ｉ
／Ｆ）１６からなる制御部と、ハードディスク（ＨＤＤ）１７およびＤＶＤ（Digital Versatile Disc）ドライブ１８からなる記録部とを有している。
【００１６】
チューナ２、復調回路３、デスクランブラ４、カードインタフェース５、デマルチプレクサ６、ビデオデコーダ７、オーディオデコーダ８、特徴量抽出回路９および提示処理回路１０とコントローラ１４とが共通のバスを介して接続されている。コントローラ１４は、ハードディスク１７およびＤＶＤドライブ１８ともバスを介して接続されている。
【００１７】
信号処理部を構成するチューナ２、復調回路３、デスクランブラ４、カードインタフェース５、デマルチプレクサ６、ビデオデコーダ７、オーディオデコーダ８、特徴量抽出回路９および提示処理回路１０は、それぞれコントローラ１４を介してＣＰＵ１１から供給される制御信号に基づき制御される。
【００１８】
チューナ２は、デジタル放送信号を受信可能なアンテナ１９と接続されており、アンテナ１９から供給されるデジタル放送信号に対して、選択されているチャンネルの選局、検波を行う。チューナ２で選局、検波がなされた信号は、復調回路３に供給される。
【００１９】
復調回路３は、チューナ２から供給される信号を復調し、ＭＰＥＧ−２方式のトランスポートストリーム（以下、単にストリームと称する）を復号する。復調回路３で復号されたストリームは、デスクランブラ４に供給される。
【００２０】
デスクランブラ４は、復調回路３から供給されるストリームの番組信号にスクランブルが施されている場合に、スクランブルの解除を行う。デスクランブラ４は、例えばＣＡＳ（Condition Access System）機能によるスクランブルの解除を行う。録画再生装置１に
は、カードインタフェース５を介してＩＣカード２０が装着可能とされており、デスクランブラ４は、例えば、復調回路３から供給されるストリームが限定受信である場合に、カードインタフェース５を介してＩＣカード２０に記憶されている鍵データを取得し、取得した鍵データで放送信号中の暗号を解くことによってスクランブルの解除を行う。
【００２１】
ライブ放送の視聴動作時には、デスクランブラ４で処理されたストリームがデマルチプレクサ６に供給される。なお、録画動作時には、デスクランブラ４で処理されたストリームは、コントローラ１４を介して記録部の記録媒体にも供給される。
【００２２】
例えば、ハードディスク１７にストリームを録画する場合には、デスクランブラ４からコントローラ１４を介してハードディスク１７にストリームが供給され、ハードディスク１７に録画コンテンツとしてストリームが記録される。
【００２３】
また、ＤＶＤにストリームを記録する場合には、デスクランブラ４からコントローラ１４を介してＤＶＤドライブ１８にストリームが供給され、ＤＶＤに録画コンテンツとしてストリームが記録される。この例では、ハードディスク１７に記録したストリームがＤＶＤに記録するようになされる。
【００２４】
なお、再生動作時には、記録部の記録媒体に録画コンテンツとして記録されているストリームが読み出され、読み出されたストリームがコントローラ１４を介してデマルチプレクサ６に供給される。例えば、ハードディスク１７に記録されているストリームを再生する場合には、ハードディスク１７からストリームが読み出され、読み出されたストリームがコントローラ１４を介してデマルチプレクサ６に供給される。また、ＤＶＤに記録されているストリームを再生する場合には、ＤＶＤドライブ１８によってＤＶＤからストリームが読み出され、読み出されたストリームがコントローラ１４を介してデマルチプレクサ６に供給される。
【００２５】
これら記録部を構成するハードディスク１７およびＤＶＤドライブ１８は、それぞれコントローラ１４を介してＣＰＵ１１から供給される制御信号に基づき制御される。なお、この例では、ハードディスク１７とＤＶＤドライブ１８とで記録部を構成しているが、記録部を構成する記録媒体の種類および数は、ストリームの録画／再生に適するのであれば、特に限定するものではない。例えば、ＤＶＤドライブ１８は、Ｂｌｕ−ｒａｙ  Ｄｉｓｃ（登録商標）に録画／再生するためのドライブであってもよい。
【００２６】
デマルチプレクサ６は、ライブ放送の視聴動作時にはデスクランブラ４、再生動作時にはハードディスク１７またはＤＶＤドライブ１８から供給されるストリームから、ビデオパケット、オーディオパケットを分離する。また、デマルチプレクサ６は、デスクランブラ４から供給されるストリームからＥＰＧデータを取得する。ＥＰＧデータは、現在時刻が放送信号中からＥＰＧデータを取得可能な所定の時刻になると、デマルチプレクサ６によって自動的に取得される。例えば、ＥＰＧデータは、毎日所定の時刻に定期的に取得される。
【００２７】
デマルチプレクサ６は、パケットのヘッダ部に記述されているパケット識別子（ＰＩＤ）に基づいて、所望の番組のビデオパケット、オーディオパケット、データパケット、ＰＳＩ（Program Specific Information）およびＳＩ（Service Information）のパケット
を分離する。ＳＩでは、番組のチャンネル、タイトル、開始日時、放送継続時間、詳細内容、進行状況、ジャンル、シリーズに関する情報等、様々な情報が伝送される。ＳＩを読み取ることによってＥＰＧデータが取得される。
【００２８】
デマルチプレクサ６で取得されたＥＰＧデータは、コントローラ１４を介してハードディスク１７に供給され、ハードディスク１７に番組情報として記録される。
【００２９】
このように、番組情報は、ＥＰＧデータ等から取得される。番組情報は、番組毎に関連付けられた番組のタイトル、ジャンル、チャンネル、放送開始日時および放送終了日時、詳細内容、シリーズに関する情報等からなる番組に関する情報である。ハードディスク１７に記録されている録画コンテンツは、対応する番組の番組情報と例えばファイル名によって関連付けられて記録される。番組情報は、録画コンテンツの管理、番組表の作成、後述する予約録画機能および編集機能等において使用される。
【００３０】
なお、番組情報は、ＥＰＧデータから取得することに限らず、例えば、ＤＶＤ、ＩＣカード等の着脱自在な記録媒体から読み取ってもよいし、録画再生装置１にネットワークインタフェースを備えさせ、ネットワークを介して取り込んでもよい。
【００３１】
デマルチプレクサ６で分離されたビデオパケットは、ビデオデコーダ７に供給される。ビデオデコーダ７は、デマルチプレクサ６から供給されるビデオパケットからビデオ信号を復号する。ビデオデコーダ７で復号されたビデオ信号は、特徴量抽出回路９に供給される。特徴量抽出回路９で処理されたビデオ信号は、提示処理回路１０に供給される。
【００３２】
特徴量抽出回路９は、ビデオデコーダ７から供給されるビデオ信号から、後述する編集機能で使用される特徴量を抽出する。特徴量は、例えばフレーム単位のデジタルビデオデータそのものまたは原ビデオデータから抽出されたデータである。特徴量抽出回路９によって抽出された特徴量は、番組および番組中の位置を識別可能にコントローラ１４を介してＲＡＭ１３等の記録媒体に一時的に記録される。
【００３３】
なお、後述する編集機能では、２つの番組において同じ内容である部分が存在するか否かを、２つの番組のそれぞれの特徴量を比較することによって判定する。例えば二つの番組の時間的に対応関係にあるフレームに関して、画素データの差分の絶対値を計算し、絶対値を１フレームにわたって累積した値の大小から同一か否かを判定できる。この場合、二つの番組は、既に録画され、ハードディスク１７に保存されているものが使用される。その場合には、二つのビデオデコーダが使用され、復号された映像信号に関して比較がなされる。または二つの番組の一方をハードディスク１７に蓄積する時に、ハードディスク１７に保存されている他方の番組と比較を行うようにしても良い。
【００３４】
なお、特徴量は、他の番組から抽出された特徴量との比較により、２つの番組において同じ内容の部分が存在するか否かを判定できるものであれば、フレーム単位のデジタルビデオデータに限ったものではない。例えば、録画再生装置１がアナログビデオデータを扱う場合には、特徴量は、アナログビデオデータであってもよい。また、特徴量としては、間引きによって画素数またはフレーム数が減少されたデジタルビデオデータ、１フレーム内の部分的なビデオデータ、または複数フレームのビデオデータをまとめたものを使用してもよい。
【００３５】
提示処理回路１０は、特徴量抽出回路９を通ったビデオ信号に、各処理の実行時に必要に応じてユーザに提示する提示画面、例えばメニュー画面、番組表、再生動作の際に表示される録画済みの番組リスト、編集を行う際にユーザに提示される画面等を付加する。提示処理回路１０で処理されたビデオ信号は、録画再生装置１から出力される。録画再生装置１から出力されたビデオ信号は、図示しない表示装置に供給され、ビデオ信号による映像が表示される。
【００３６】
一方、デマルチプレクサ６で分離されたオーディオパケットは、オーディオデコーダ８に供給される。オーディオデコーダ８において、デマルチプレクサ６から供給されるオーディオパケットからオーディオ信号が復号される。オーディオデコーダ８で復号されたオーディオ信号は、録画再生装置１から出力される。録画再生装置１から出力されたオーディオ信号は、図示しないスピーカ等の音声出力装置に供給され、オーディオ信号による音声が再生される。
【００３７】
デマルチプレクサ６によって、録画動作の際に、ＥＰＧデータから録画番組に関する番組情報が取り出される。番組名、放送日時、時間延長に関する記述等が番組情報に含まれている。デマルチプレクサ６で取り出された録画番組の番組情報は、コントローラ１４を介してハードディスク１７に供給され、ハードディスク１７に記録される。また、録画予約の方法についての情報もハードディスク１７に記録される。
【００３８】
録画番組の番組情報例えばタイトル情報は、録画番組を再生する際に、ハードディスク１７から読み出され、提示処理回路１０によってビデオ信号に付加される録画番組リストの作成に使用される。
【００３９】
さらに、後述する編集時に使用されるフラグが録画番組と関連してハードディスクに記録される。フラグは、録画番組と関連付けられてハードディスク１７に記録される。フラグの種類は、〔延長あり〕、〔前回あり〕、〔ＣＭ〕、〔スポーツ〕、〔同じ〕、〔違う〕および〔不明〕である。〔延長あり〕、〔前回あり〕のフラグは、編集の際に判定処理で使用される判定フラグである。〔ＣＭ〕、〔スポーツ〕、〔同じ〕、〔違う〕および〔不明〕のフラグは、編集に使用される特徴フラグである。すなわち、特徴フラグは、編集の際にカットされる始点と終点の位置の特定に使用される。特徴フラグの位置は、ユーザによって調整することが可能であり、ユーザは、所望の位置に編集点を移動できる。
【００４０】
制御部を構成するＲＯＭ１２、ＲＡＭ１３、計時回路１５およびリモコンインタフェース１６は、コントローラ１４を介してＣＰＵ１１と接続されており、それぞれコントローラ１４を介してＣＰＵ１１から供給される制御信号に基づき制御される。
【００４１】
ＣＰＵ１１は、録画再生装置１の電源が投入されると、ＲＯＭ１２に記憶されているプログラムを読み込み、アプリケーションを起動する。ＲＡＭ１３は、ＣＰＵ１１によるプログラム実行時に一時的なデータを記憶するワーク用メモリ空間として使用される。ＣＰＵ１１によって実行されるプログラムは、ＤＶＤ、メモリカード等の着脱自在な記録媒体に記録されているものをインストールすることができる。また、このプログラムは、録画再生装置１にインターネット等のネットワークと接続可能なネットワークインタフェースを設け、ネットワークを介して所定のサーバ等からダウンロードしたものであってもよい。
【００４２】
計時回路１５は、現在時刻等の時間情報を管理する。計時回路１５によって、録画再生装置１が備える現在時刻の表示、予約録画、番組情報の取得、特徴量の比較等の時間に関する処理が実現される。現在時刻は、例えば放送信号から自動的に取得される。
【００４３】
録画再生装置１に対する操作の入力は、リモートコントロール用コマンダ（以下、単にコマンダと称する）２１によりなされる。ユーザの操作等によってコマンダ２１から送信される赤外線等による遠隔制御信号は、録画再生装置１が有する図示しない受信部によって受信され、リモコンインタフェース（Ｉ／Ｆ）１６およびコントローラ１４を介してＣＰＵ１１に供給される。ＣＰＵ１１は、遠隔制御信号に基づき、録画再生装置１を構成する各部を制御する。なお、録画再生装置１が有する図示しない操作ボタン等の入力部により、録画再生装置１を直接操作することも可能である。
【００４４】
録画再生装置１は、録画／再生機能および番組表表示機能等の通常の機能に加えて、予約録画機能および編集機能を有している。これらの機能は、ＣＰＵ１０がコントローラ１４を介して録画再生装置１を構成する各部を適切に制御することによって実現される。
【００４５】
この発明の一実施形態では、好みのジャンル、キーワード、時間帯等を指定しておくことによって、ＥＰＧから条件に合致した番組を検索し、自動的に録画する機能を有している。また、地上波に関する機能として、番組名予約並びにスポーツ延長対応の機能を有している。番組名予約は、番組名を録画予約設定し、ＥＰＧの番組情報に基づいてその番組名の番組を録画する機能である。スポーツ延長対応は、録画予約した番組の前に野球、サッカー等のスポーツの放送が予定されている場合、ＥＰＧデータの情報に基づいて最大延長時間を計算し、計算された最大延長時間の分だけ自動的に録画終了時刻を延長する処理である。このような処理をスポーツ延長と称する。録画予約された番組の録画の失敗をスポーツ延長によって防止できる。
【００４６】
図２は、スポーツ延長対応の録画予約機能を説明するフローチャートである。この機能は、ＣＰＵ１１およびコントローラ１４の制御によって実行される処理である。
【００４７】
まず、ＥＰＧ等を利用してユーザにより所望の番組の録画予約がなされる（ステップＳ１）。ステップＳ２において、現在時刻が録画予約の録画開始時刻か否かが判定される。
【００４８】
ステップＳ２において、現在時刻が録画予約の録画開始時刻でないと判定されると、現在時刻が録画開始時刻となるまで、ステップＳ２の処理が繰り返される。ステップＳ２において、現在時刻が録画開始時刻であると判定されると、録画が開始し（ステップＳ３）、録画終了時間まで録画が行われる。
【００４９】
また、ステップＳ３において、録画が開始すると、延長判定処理が行われる（ステップＳ４）。延長判定処理は、上述したように、サッカー、野球等のスポーツ番組において放送時間の延長があっても、録画予約した番組の録画を最後まで行うための処理である。ステップＳ４の処理が終了すると、予約録画処理が終了する。なお、延長判定処理Ｓ４は、録画予約時に行うようにしても良い。
【００５０】
図３は、ＣＰＵ１１およびコントローラ１４の制御によって実行される延長判定処理Ｓ４の一例の流れを示すフローチャートである。
【００５１】
延長判定処理では、まず、録画予約の録画開始時刻が延長番組時間帯内例えば午後６時以降か否かが判定される（ステップＳ１１）。延長番組時間帯とは、番組の放送時間が延長される可能性がある時間帯を意味する。放送時間の延長は、夕方以降放送されるサッカー、野球等のスポーツ番組においてなされることが多く、昼間の番組は、ほとんど延長されることがない。そこで、午後６時以降から放送終了時間までを延長番組時間帯としている。なお、この延長番組時間帯の設定は、ユーザが任意に変更できるようにしてもよい。
【００５２】
ステップＳ１１において、録画予約の録画開始時刻が午後６時以降でないと判定されると、スポーツ延長を行わずに延長判定処理が終了する。ステップＳ１１において、録画開始時刻が午後６時以降であると判定されると、録画番組と同じチャンネルであって、午後６時以降から録画予約の録画開始時刻までの番組情報において、延長の可能性がある番組が存在するか否かが判定される（ステップＳ１２）。
【００５３】
例えば、番組情報のジャンルが「スポーツ」であり、且つ番組情報に「延長」の文字が含まれる番組は、延長の可能性がある番組と判定し、そうでない番組は、延長の可能性がない番組と判定する。
【００５４】
ステップＳ１２において、録画開始時刻前には、延長の可能性がある番組が存在しないと判定されると、延長判定処理が終了する。ステップＳ１２において、延長の可能性がある番組が存在すると判定されると、その番組情報に延長時間の記述が存在するか否かが判定される（ステップＳ１３）。
【００５５】
延長時間の記述は、１５分間の延長というように、番組表等の放送予定時間に対して相対的な時間で示すものであってもよいし、午後９時１５分まで延長というように、時刻で表すものでもよい。
【００５６】
ステップＳ１３において、延長時間の記述が存在すると判定されると、録画予約の録画終了時間が延長時間の記述に応じた時間だけ延長される（ステップＳ１４）。ステップＳ１３において、延長時間の記述が存在しないと判定されると、予め設定されていたデフォルトの時間、例えば３０分だけ録画終了時刻が延長される（ステップＳ１７）。この設定時間は、ユーザが任意に変更できるようにしてもよい。
【００５７】
ステップＳ１４またはステップＳ１７において、録画予約の終了時間が延長されたら、延長後の録画終了時刻がその後に録画予約されている別の録画予約の録画時間と重なるか否かが判定される（ステップＳ１５）。ステップＳ１５において、録画時間が重なると判定されると、録画終了時刻の延長は、その後の録画予約の録画開始時刻までとされ（ステップＳ１６）、延長判定処理が終了する。ステップＳ１５において、録画時間が重ならないと判定されると、延長処理が終了する。なお、録画予約されている番組に優先度を設け、優先度が高い方の番組を優先的に録画するとしてもよい。
【００５８】
ステップＳ１４またはステップＳ１７において録画終了時刻の延長がなされた録画番組は、録画時間が延長されたことが分かるように、〔延長あり〕のフラグがハードディスク１７に記憶される。〔延長あり〕のフラグは、後述するフラグ付け処理によって使用される。
【００５９】
なお、図３に示す延長判定処理では、延長の可能性のある番組の絞込みを迅速にするために、ステップＳ１１において、録画予約の録画開始時刻が午後６時以降であるか否かを判定したが、ステップＳ１１の処理は、省略することも可能である。
【００６０】
スポーツ延長されたときの録画内容の一例について、図４を参照して説明する。図４Ａは、同じチャンネルにおける放送スケジュールを示している。すなわち、午後７時から午後９時まで野球放送が行われ、午後９時から午後１０時までドラマ１の放送が行われ、午後１０時から午後１１時までドラマ２の放送が行われ、午後１１時から翌午前０時までニュース放送が行われる予定であることを示している。
【００６１】
図４Ｂは、実際の放送時間を示している。すなわち、野球中継が３０分延長されて午後７時から午後９時３０分まで放送され、それによって、ドラマ１の放送時間帯が午後９時３０分から午後１０時３０分となり、ドラマ２の放送時間帯が午後１０時３０分から午後１１時３０分までなり、ニュース番組の放送時間帯が午後１１時３０分から午前０時３０分までとなったことを示している。
【００６２】
図４Ａに示すスケジュールに基づきドラマ２の放送を録画予約する場合、午後１０時から午後１１時までしか録画されないことになる。しかしながら、延長判定処理を行うことによって、図４Ｃに示すように、録画終了時刻がスポーツ延長による録画延長時間の３０分延長され、午後１０時から午後１１時３０分までの放送が録画される。これによって、実際に録画された内容は、図４Ｄに示すように、シフト時間分のドラマ１の放送が前部に録画された後、ドラマ２の放送が録画される。ドラマ２を録画することができる。
【００６３】
この発明の一実施形態は、ハードディスク１７に録画コンテンツとして記録されている番組を記録可能で、リムーバブルな記録媒体例えば書き込み可能なＤＶＤ例えばＤＶＤ−Ｒに記録する際の編集処理に特徴を有する。編集処理は、録画再生装置１が有する。
【００６４】
図５は、ＣＰＵ１１およびコントローラ１４の制御によって実行される編集処理の流れを示すフローチャートである。図６から図１０は、同じシリーズの３つの録画コンテンツをＤＶＤに編集する際の提示画面の例である。
【００６５】
編集処理では、まず、ハードディスク１７に記録されている録画コンテンツのタイトルの一覧がユーザに提示される。ユーザは、その一覧の中からＤＶＤに録画したいタイトルを選択する（ステップＳ２１）。
【００６６】
録画再生装置１と接続された図示しない表示装置例えばテレビジョン受信機のディスプレイ上に、図６に示す提示画面３１が表示される。メニュー３２のビデオアイコン３２ａが選択される。ビデオアイコン３２ａが選択されることによって、録画再生装置１の処理がハードディスク１７に記録されているコンテンツの操作に切り換えられる。
【００６７】
ビデオアイコン３２ａが選択されたら、ハードディスク１７に記録されている全コンテンツのサムネイルが表示部３３に一覧として表示される。そして、ユーザによって編集したいタイトルのサムネイルが選択される。なお、カーソル３４をサムネイルに合わせると、そのサムネイルのコンテンツのタイトル、第何回目の放送であるかを示す放映回、放送日時、放送局名等の番組情報が表示される。この例では、１０月１８日に放送および録画された「××××」というタイトルの録画番組のサムネイル３３ａが選択されている。サムネイル３３ａの選択が確定すると、図７に示すように、提示画面３１にサブメニュー３５が表示される。
【００６８】
ステップＳ２１において、ＤＶＤに記録したいタイトルが選択されると、選択されたタイトルと同じ連続番組（シリーズ）のタイトルが後述するシリーズ判定処理によって検索され、検索結果が編集候補のタイトルとしてユーザに提示される（ステップＳ２２）。
【００６９】
ユーザによってサブメニュー３５の「シリーズ編集」が選択されると、図８に示すように、編集候補として、「××××」というタイトルと同じシリーズの録画コンテンツのタイトル、放送回、放送日時、放送局名等の番組情報の一覧が提示画面３１に表示される。
【００７０】
ステップＳ２２において、編集候補のタイトルが提示されたら、ＤＶＤに追加編集したいタイトルが選択される（ステップＳ２３）。１つのタイトルだけを編集したいときには、追加編集したいタイトルの選択（ステップＳ２３）が省略される。なお、編集候補のタイトルからだけではなく、全タイトルの一覧からも、ＤＶＤに追加編集したいタイトルを選択することが可能とされている。
【００７１】
図８に示すように、追加編集したいタイトルにカーソル３４が合わせられて、追加編集を行うタイトルが選択される。この例では、「追加」と表示されている１０月２５日の放送分と１１月１日の放送分のタイトルが追加されている。
【００７２】
提示画面３１には、さらに、容量表示部３６が設けられている。容量表示部３６には、選択されているタイトルを記録した番組のＤＶＤの残りの空き容量が表示される。ＤＶＤの空き容量が不足する場合には、タイトルの選択ができないようにしたり、ユーザに容量不足を警告するようになされる。
【００７３】
ステップＳ２３において、ＤＶＤに追加編集したいタイトルが全て選択されたら、自動編集処理が行われる（ステップＳ２４）。ステップＳ２４における自動編集処理が終了すると、ＤＶＤが録画再生装置１から自動的に排出され（ステップＳ２５）、編集処理が終了する。なお自動編集が終了したＤＶＤは、ユーザが手動で取り出してもよい。
【００７４】
ユーザによって追加編集したいタイトルが選択され、「シリーズ編集開始」が選択されると、自動編集処理によるＤＶＤへのシリーズ編集が開始される。図９に示すように、提示画面３１に処理の進行状況と残り時間とが表示される。なお、自動編集処理は、バックグラウンドで行われる。
【００７５】
シリーズ編集が正常に終了すると、図１０に示すように、シリーズ編集が正常に終了したことを示すメッセージが提示画面３１に表示される。なお、シリーズ編集が正常に終了しなかったときには、その旨のメッセージが提示画面３１に表示される等の所定の処理がなされる。
【００７６】
次に、シリーズ判定処理について説明する。シリーズ判定処理は、録画予約方法と、ハードディスクに記録されている番組の番組情報とを使用して、シリーズであるか否かと、同じシリーズの前回の番組を録画したものの有無を判定する処理である。図１１および図１２は、ＣＰＵ１１およびコントローラ１４の制御によって実行されるシリーズ判定処理の流れを示すフローチャートである。本来は、一連の処理を示すフローチャートであるが、作図スペースの制約から２分割して示す。
【００７７】
シリーズ判定処理では、まず、その録画番組に関しての録画予約方法の設定が調べられる（ステップＳ３１）。録画予約方法の設定は、番組表等を利用して番組が録画予約される際に、ユーザによって指定される。録画予約方法の設定方法に関する情報、録画日時等の情報は、ハードディスク１７上の録画番組のそれぞれについて保存されている。
【００７８】
この例では、録画予約方法として、月曜日から日曜日の毎日予約、月曜日から土曜日にかけての毎日予約、月曜日から金曜日にかけての毎日予約、毎週予約のいずれか１つが指定可能とされている。なお、いずれも指定されなかった場合には、今回だけ録画を行う単独の予約である。
【００７９】
ステップＳ３１において調べられた録画予約方法の設定が月曜日から日曜日の毎日予約であるか否かが判定される（ステップＳ３２）。ステップＳ３２において、録画予約方法の設定が毎日予約であると判定されると、前日の同じ時刻に記録された番組がハードディスク１７上に存在するか否かが判定される（ステップＳ３３）。
【００８０】
ステップＳ３３において、前日の同じ時刻の録画番組が存在すると判定されると、前回の録画番組があり、その録画番組が前回のコンテンツとされ（ステップＳ３４）、シリーズ判定処理が終了する。ステップＳ３３において、前日の同じ時刻の録画番組が存在しないと判定されると、前回のコンテンツがないとされ（ステップＳ４６）、シリーズ判定処理が終了する。
【００８１】
ステップＳ３２において、録画予約方法の設定が毎日予約でないと判定されると、録画予約方法の設定が月曜日から土曜日にかけての毎日予約であるか否かが判定される（ステップＳ３５）。ステップＳ３５において、録画予約方法の設定が月曜日から土曜日にかけての毎日予約であると判定されると、録画予約の録画曜日が月曜日であるか否かが判定される（ステップＳ３６）。
【００８２】
ステップＳ３６において、録画予約の録画日が月曜日でないと判定されると、上述した毎日予約と同様に、ステップＳ３３以降の処理が行われる。ステップＳ３６において、録画予約の録画日が月曜日であると判定されると、先週の土曜日の同じ時刻に記録された番組がハードディスク１７上に存在するか否かが判定される（ステップＳ３７）。
【００８３】
ステップＳ３７において、先週の土曜日の同じ時刻の番組が存在すると判定されると、前回のコンテンツがあるとされ、その番組が前回のコンテンツとされ（ステップＳ３８）、シリーズ判定処理が終了する。ステップＳ３７において、同じ時刻の番組が存在しないと判定されると、前回のコンテンツがないとされ（ステップＳ４６）、シリーズ判定処理が終了する。
【００８４】
ステップＳ３５において、録画予約方法の設定が月曜日から土曜日にかけての毎日予約でないと判定されると、録画予約方法の設定が月曜日から金曜日にかけての毎日予約であるか否かが判定される（ステップＳ３９）。ステップＳ３９において、録画予約方法の設定が月曜日から金曜日にかけての毎日予約であると判定されると、録画予約の録画日が月曜日であるか否かが判定される（ステップＳ４０）。ステップＳ４０において、録画予約の録画日が月曜日でないと判定されると、毎日予約と同様に、ステップＳ３３以降の処理が行われる。
【００８５】
ステップＳ４０において、録画予約の録画日が月曜日であると判定されると、先週の金曜日の同じ時刻に記録された番組がハードディスク１７上に存在するか否かが判定される（ステップＳ４１）。
【００８６】
ステップＳ４１において、先週の金曜日の同じ時刻の番組が存在すると判定されると、前回のコンテンツがあるとし、その録画番組が前回のコンテンツとされ（ステップＳ４２）、シリーズ判定処理が終了する。ステップＳ４１において、先週の金曜日の同じ時刻の番組が存在しないと判定されると、前回のコンテンツがないとされ（ステップＳ４６）、シリーズ判定処理が終了する。
【００８７】
ステップＳ３９において、録画予約方法の設定が月曜日から金曜日にかけての毎日予約でないと判定されると、録画予約方法の設定が毎週予約であるか否かが判定される（ステップＳ４３）。ステップＳ４３において、録画予約方法の設定が毎週予約であると判定されると、先週の同じ曜日の同じ時刻に記録された番組がハードディスク１７上に存在するか否かが判定される（ステップＳ４４）。
【００８８】
ステップＳ４４において、先週の同じ曜日の同じ時刻の番組が存在すると判定されると、前回のコンテンツがあるとし、その同じ時刻の録画番組が前回のコンテンツとされ（ステップＳ４５）、シリーズ判定処理が終了する。ステップＳ４４において、先週の同じ曜日の同じ時刻の番組が存在しないと判定されると、前回のコンテンツがないとされ（ステップＳ４６）、シリーズ判定処理が終了する。
【００８９】
ステップＳ４３において、録画予約方法の設定が毎週予約でないと判定されると、単独の予約であるとして、図１２に示すように、前日の同じ時刻に記録された番組がハードディスク１７上に存在し、その番組のタイトルが一致または類似しているか否かが判定される（ステップＳ４７）。単発的録画予約の場合では、シリーズ判定の可能性が低くなるので、番組名（タイトル）も使用してシリーズ判定を行うようにしている。
【００９０】
ステップＳ４７において、前日の同じ時刻の録画番組が存在し、その番組のタイトルが対象番組と一致または類似していると判定されると、前回のコンテンツがあるとし、そのタイトルが一致または類似している番組が前回のコンテンツとされ（ステップＳ４８）、シリーズ判定処理が終了する。
【００９１】
ステップＳ４７において、前日の同じ時刻の録画番組が存在しない、または存在していてもその番組のタイトルが一致または類似していないと判定されると、録画予約の録画日が月曜日であるか否かが判定される（ステップＳ４９）。
【００９２】
ステップＳ４９において、録画予約の録画日が月曜日であると判定されると、先週の土曜日の同じ時刻に記録された番組がハードディスク１７上に存在し、その番組のタイトルが対象番組と一致または類似しているか否かが判定される（ステップＳ５０）。
【００９３】
ステップＳ５０において、同じ時刻の番組が存在し、その番組のタイトルが対象番組と一致または類似していると判定されると、前回のコンテンツがあるとし、そのタイトルが一致または類似している番組が前回のコンテンツとされ（ステップＳ５１）、シリーズ判定処理が終了する。
【００９４】
ステップＳ５０において、同じ時刻の番組が存在しない、または存在していてもその番組のタイトルが対象番組と一致または類似していないと判定されると、先週の金曜日の同じ時刻に記録された番組がハードディスク１７上に存在し、その番組のタイトルが対象番組と一致または類似しているか否かが判定される（ステップＳ５２）。
【００９５】
ステップＳ５２において、同じ時刻の番組が存在し、その番組のタイトルが対象番組と一致または類似していると判定されると、前回のコンテンツがあるとし、そのタイトルが一致または類似している番組が前回のコンテンツとされ（ステップＳ５３）、シリーズ判定処理が終了する。
【００９６】
ステップＳ４９において、録画予約の録画日が月曜日でないと判定されると、または、ステップＳ５２において、同じ時刻の録画番組が存在しない、または存在していてもその録画番組のタイトルが処理の対象の録画番組と一致または類似していないと判定されると、先週の同じ曜日の同じ時刻に記録された番組がハードディスク１７上に存在し、その番組のタイトルが処理の対象の録画番組と一致または類似しているか否かが判定される（ステップＳ５４）。
【００９７】
ステップＳ５４において、同じ時刻の録画番組が存在し、その番組のタイトルが対象番組と一致または類似していると判定されると、前回のコンテンツがあるとし、そのタイトルが一致または類似している番組が前回のコンテンツとされ（ステップＳ５５）、シリーズ判定処理が終了する。
【００９８】
ステップＳ５４において、同じ時刻の番組が存在しない、または存在していてもその番組のタイトルが対象番組と一致または類似していないと判定されると、前回のコンテンツがないとされ（ステップＳ５６）、シリーズ判定処理が終了する。
【００９９】
以上によって、前回のコンテンツの有無が判定される。前回のコンテンツがあると判定されると、その番組が連続番組であると判定され、その前回のコンテンツが編集候補に追加される。次に、検出された前回の録画番組を対象番組としてシリーズ判定処理が繰り返し行われる。このようにして、シリーズ判定処理を前回のコンテンツ、前々回のコンテンツ、…に対して繰り返し行い、ステップＳ４６またはステップＳ５６によって、前回なしと判定されるまで行うことによって、選択されたタイトルと同じシリーズのタイトルがより確実に抽出される。
【０１００】
なお、最新のタイトルから順に前回のコンテンツがあるか否かを判定するのではなく、最古のタイトルから順に次回のコンテンツがあるか否かを判定してもよい。また、最新と最古の間のタイトル、例えば選択されたタイトルからこれら両方の判定を行ってもよい。さらに、番組情報によって対象番組が連続番組か否かを判定することによって、連続番組をより確実に検出できる。
【０１０１】
さらに、シリーズ予約録画機能を録画再生装置が有しており、ハードディスク１７に対してシリーズ録画されたものが存在する場合に対してもこの発明を適用できる。その場合には、シリーズ判定処理を省略し、またはシリーズ判定処理を連続番組として録画された複数の録画番組に対して行うようにしても良い。
【０１０２】
なお、タイトルのみを参照してシリーズものを検索する方法は、例えば、夜に放送される連続番組の宣伝番組を昼間に放送するようなとき、宣伝番組のタイトルが宣伝される連続番組のタイトルと同じであることがある等の理由で、検索を誤るおそれがある。したがって、一実施形態では、録画予約方法を参照してシリーズ判定を行うようにしている。
【０１０３】
次に、上述したステップＳ２４の自動編集処理について説明する。図１３は、ＣＰＵ１１およびコントローラ１４の制御によって実現される自動編集処理の流れを示すフローチャートである。自動編集処理では、まず、ＤＶＤに編集するタイトルが１つであるか否かが判定される（ステップＳ６１）。
【０１０４】
ステップＳ６１において、ＤＶＤに編集するタイトルが１つであると判定されると、選択されたタイトルの番組のＣＭが検出され、検出されたＣＭに〔ＣＭ〕のフラグが付与される（ステップＳ６２）。
【０１０５】
例えば、番組の映像と音声とが同時に途切れ、その切れ目が１５秒、３０秒、４５秒もしくは６０秒の間隔、またはそれらの組み合わせの間隔で、少なくとも３０秒以上連続する部分がＣＭであるとみなして、〔ＣＭ〕のフラグが付与される。〔ＣＭ〕のフラグは、例えば、ＣＭにフレーム単位で付与される。なお、〔ＣＭ〕のフラグは、ＧＯＰ（Group
of Picture）単位等で付与してもよい。
【０１０６】
なお、ここでは、コマーシャルの時間が１５秒単位であることと、コマーシャルと他の部分との間では、映像と音声とが共に途切れるということを利用してコマーシャルを検出しているが、コマーシャルの検出方法は、これに限ったものではなく、他の方法を用いてもよい。
【０１０７】
ステップＳ６２において、コマーシャルの検出と〔ＣＭ〕のフラグ付けの処理が行われたら、〔ＣＭ〕のフラグが付与された部分、すなわちコマーシャル部分が削除される（ステップＳ６３）。ステップＳ６３でコマーシャル部分が削除されたら、コマーシャル部分が削除された番組がＤＶＤに番組が書き込まれ（ステップＳ６４）、自動編集処理が終了する。なお、ステップＳ６３のコマーシャルカットの操作は、フラグ付けの処理にしたがってハードディスク１７からＤＶＤにデータを書き込む時にコマーシャルの部分を書き込まない処理である。
【０１０８】
ステップＳ６１において、ＤＶＤに編集するタイトルが１つでない、すなわち複数あると判定されると、それら複数のタイトルがそれぞれ同じシリーズであるか否かが判定される（ステップＳ６５）。このときの判定は、上述したシリーズ判定処理によって行われる。
【０１０９】
すなわち、ＤＶＤに編集する複数のタイトルがそれぞれ同じであり、且つそれらタイトルの最新のものからシリーズ判定処理を行い、前回のコンテンツがないとされたならば、同じシリーズのタイトルでないとされ、前回のコンテンツがあるとされたならば、同じシリーズのタイトルであるとされる。前回のコンテンツがあるとされたら、今回のコンテンツに対して〔前回あり〕のフラグが付与される。
【０１１０】
ステップＳ６５において、同じシリーズのタイトルでないと判定されると、ステップＳ６２以降の処理が行われる。すなわち、コマーシャルが検出され（ステップＳ６２）、検出されたコマーシャル部分が削除され（ステップＳ６３）、コマーシャル部分が削除された番組がＤＶＤに番組が書き込まれ（ステップＳ６４）、自動編集処理が終了する。
【０１１１】
ステップＳ６５において、同じシリーズのタイトル（録画番組を意味する）であると判定されると、フラグ付け処理によって、最新のタイトルとその前回のタイトル、前回のタイトルから前々回のタイトル、前々回のタイトル・・・というように、順にそれぞれのタイトルの内容を逐次比較し、フラグが付与される（ステップＳ６６）。
【０１１２】
ステップＳ６６において、フラグ付け処理が行われたら、フラグ付け処理によって付与されたフラグにしたがって、ＤＶＤに書き込む部分の選択を行う書き込み選択処理がなされる（ステップＳ６７）。ステップＳ６７において、書き込む部分の選択がなされたら、書き込む部分が選択された録画番組がＤＶＤに書き込まれ（ステップＳ６４）、自動編集処理が終了する。書き込み部分選択処理Ｓ６７は、ハードディスクからＤＶＤに対するデータの書き込み時になされる処理である。
【０１１３】
次に、ステップＳ６６のフラグ付け処理の一例についてより詳細に説明する。図１４は、ＣＰＵ１１およびコントローラ１４の制御によって実現されるフラグ付け処理の流れを示すフローチャートである。
【０１１４】
また、図１４に示す処理の理解を容易とするために、図１５から図２３にそれぞれ示すコンテンツの例を使用する。図１５から図２３の各図に示す上段は、前回のコンテンツを示し、図１５から図２３の各図に示す各図の中段は、今回のコンテンツを示し、図１５から図２３の各図に示す下段は、今回のコンテンツに付与されるフラグを示している。これらのコンテンツは、オープニング、本編、エンディングおよびコマーシャルの種類の部分からなる。これらの部分は、少なくとも数十秒以上の長さの動画であるが、簡略化のために、それぞれの部分が１枚の画像でもって構成されているものと仮定する。また、図１５から図２３のそれぞれの１枚の画像がコンテンツの各部分の特徴量を示していると解釈しても良い。
【０１１５】
フラグ付け処理では、まず、編集されるコンテンツ（録画番組を意味する）に前回のコンテンツ（録画番組を意味する）があるか否かが判定される（ステップＳ７１）。このとき、編集されるコンテンツ（以下、今回のコンテンツと称する）に〔前回あり〕のフラグが付与されているなら、前回のコンテンツがあるものと判定され、〔前回あり〕のフラグが付与されていないなら、前回のコンテンツがないものと判定される。
【０１１６】
ステップＳ７１において、前回のコンテンツがあると判定されると、前回のコンテンツに関して、さらにその前回とのコンテンツとの比較結果、すなわち、フラグが付与されているか否かが判定される（ステップＳ７２）。ステップＳ７２において、前回のコンテンツにフラグが付与されていると判定されると、前回のコンテンツを録画する際に、録画終了時刻を遅らせることによるスポーツ延長が行われたか否かが判定される（ステップＳ７３）。このとき、前回のコンテンツに〔延長あり〕のフラグがあると、延長が行われたものとされ、〔延長あり〕のフラグがないと、延長が行われなかったものとされる。
【０１１７】
ステップＳ７３において、スポーツ延長が行われたと判定された場合には、今回のコンテンツを録画する際に、スポーツ延長が行われたか否かが判定される（ステップＳ７４）。このとき、今回のコンテンツに〔延長あり〕のフラグがあると、延長が行われたものとし、〔延長あり〕のフラグがないと、延長が行われなかったものとする。
【０１１８】
ステップＳ７４において、スポーツ延長が行われたと判定されると、今回のコンテンツにおいて前回のコンテンツにおいて、〔同じ〕のフラグを有する部分の特徴量と同じ特徴量が今回のコンテンツにおいて最初に連続し始める時刻が検出される（ステップＳ７５）。検出された時刻は、今回のコンテンツのオープニングの開始時刻である。
【０１１９】
ステップＳ７５において、今回のコンテンツにおけるオープニングの開始時刻が検出されると、ステップＳ７６の開始時刻の差の補正処理がなされる。スポーツ延長の処理がなされた場合には、録画対象番組の開始時刻が予約された録画開始時刻より後ろにずれ、録画番組の全体も後ろにずれる。しかも、スポーツ延長の時間が一定ではないため、前回のコンテンツと比較するときに、正確な比較ができない問題が生じる。
【０１２０】
この問題を避けるのがステップＳ７５およびＳ７６の処理である。ステップＳ７６では、前回のフラグがスポーツでなくなる時刻と今回のコンテンツに関して検出されたオープニングの開始時刻との差を求め、求めた差の時間を補正して〔同じ〕または〔違う〕のフラグ付けが行われる。また、オープニングの開始時刻以前には、〔スポーツ〕のフラグが付与される。
【０１２１】
これら〔同じ〕、〔違う〕および〔スポーツ〕のフラグは、例えば、対応する部分にフレーム単位で付与される。
【０１２２】
ステップＳ７６において、〔同じ〕または〔違う〕のフラグ付けの処理と〔スポーツ〕のフラグ付けの処理とが行われたら、今回のコンテンツのコマーシャル部分が検出され、検出されたコマーシャル部分に〔ＣＭ〕のフラグが付与され（ステップＳ７７）、フラグ付け処理が終了する。上述したように、映像と音声とが同時に途切れ、その切れ目が１５秒、３０秒、４５秒もしくは６０秒の間隔、またはそれらの組み合わせの間隔で、少なくとも３０秒以上連続する部分をコマーシャルとして検出している。
【０１２３】
図１５に示す例は、図１４のフローチャート中で、ステップＳ７１，Ｓ７２，Ｓ７３，Ｓ７４，Ｓ７５，Ｓ７６およびＳ７７の処理の流れに対応している。すなわち、図１５に示す例では、前回のコンテンツがあり、前回のコンテンツがフラグを有しており、前回のコンテンツを録画する際にスポーツ延長が行われ、スポーツ番組の録画部分４１ｓが存在している。また、今回のコンテンツもスポーツ延長が行われている。
【０１２４】
ステップＳ７４において、スポーツ延長が行われたと判定されると、今回のコンテンツにおけるオープニングの開始時刻例えば午後９時１５分が検出される（ステップＳ７５）。ステップＳ７５において、オープニングの開始時刻が検出されたら、ステップＳ７６において、前回のコンテンツのフラグがスポーツでなくなる時刻例えば午後９時２０分が検出され、午後９時１５分の差の時間である５分が検出される。検出された５分の時間、今回のコンテンツが時間軸上でシフトされる。図１５は、このシフト後の状態を示す。
【０１２５】
このようにシフトによって開始時刻の差の補正がなされ、補正後のコンテンツ同士で特徴量を参照して〔同じ〕または〔違う〕のフラグ付け処理が行われる。また、開始時刻の午後９時１５分以前の録画部分４２ｓには、〔スポーツ〕のフラグが付与される。
【０１２６】
今回のコンテンツの開始時刻が割り出されたら、前回のコンテンツにおける開始時刻以降からのオープニング４１ａ，ＣＭ４１ｂ，本編４１ｃ，ＣＭ４１ｄ，本編４１ｅ，エンディング４１ｆ，ＣＭ４１ｇと、今回のコンテンツにおける開始時刻以降からのオープニング４２ａ，ＣＭ４２ｂ，本編４２ｃ，ＣＭ４２ｄ，本編４２ｅ，エンディング４２ｆ，ＣＭ４２ｇとが比較される。オープニングおよびエンディングが同一であるので、オープニング４１ａおよびエンディング４１ｆに対して〔同じ〕のフラグが付与される。本編は、前回と異なるので、本編４２ｃおよび４２ｅに対して〔違う〕のフラグが付与される。なお、ＣＭ４２ｂ，４２ｄ，４２ｇには、〔ＣＭ〕のフラグが付与される。
【０１２７】
次に、ステップＳ７１〜Ｓ７３の判定結果が上述したものと同一であるが、ステップＳ７４において、今回のコンテンツでは、スポーツ延長が行われていないと判定される場合の処理について、図１４および図１６を参照して説明する。ステップＳ７８において、前回のコンテンツにおいて、〔スポーツ〕のフラグでなくなる時間から、〔同じ〕または〔違う〕のフラグ付け処理が行われる。ステップＳ７８において、フラグ付けの処理が行われたら、ＣＭの判定と〔ＣＭ〕のフラグ付けの処理（ステップＳ７７）が行われ、フラグ付け処理が終了する。
【０１２８】
図１６に示すように、前回のコンテンツがあり、前回のコンテンツにフラグが付与されており、前回のコンテンツを録画する際にスポーツ延長が行われている。また、今回のコンテンツは、録画する際にスポーツ延長が行われていない。
【０１２９】
この場合、前回のコンテンツにおいて、〔スポーツ〕のフラグがなくなる時間、すなわち、午後９時２０分以降から前回のコンテンツと今回のコンテンツに関して特徴量が比較される。その結果、スポーツ延長による時間差が補正される。また、ＣＭのフラグ〔ＣＭ〕が付与される。前回のコンテンツおよび今回のコンテンツは、図１５に示すものと同一であり、付与されたフラグも同様のものとなる。図１７〜図２３にそれぞれ示されるコンテンツも図１５および図１６と同一の内容である。
【０１３０】
次に、ステップＳ７１，Ｓ７２の判定結果が上述したものと同一であるが、ステップＳ７３において、前回のコンテンツでは、スポーツ延長が行われていないと判定される場合の処理について、図１４および図１７を参照して説明する。ステップＳ７９において、今回のコンテンツを録画する際に、スポーツ延長が行われたか否かが判定される。
【０１３１】
ステップＳ７９において、スポーツ延長が行われたと判定されると、今回のコンテンツにおけるオープニングの開始時刻が検出される（ステップＳ８０）。ステップＳ８１において、今回のコンテンツにおけるオープニングの開始時刻以降から、〔同じ〕または〔違う〕のフラグ付け処理が行われる。また、開始時刻以前には、〔スポーツ〕のフラグが付与される。
【０１３２】
ステップＳ８１において、〔同じ〕または〔違う〕のフラグ付けの処理と〔スポーツ〕のフラグ付けの処理とが行われたら、ＣＭの判定と〔ＣＭ〕のフラグ付けの処理（ステップＳ７７）が行われ、フラグ付け処理が終了する。
【０１３３】
図１７に示すように、前回のコンテンツがあり、前回のコンテンツにフラグが付与されており、前回のコンテンツではスポーツ延長がなされていない。また、今回のコンテンツは、スポーツ延長が行われ、スポーツ番組の録画部分４２ｓが存在する。
【０１３４】
ステップＳ５９において、スポーツ延長が行われたと判定されると、今回のコンテンツにおいて前回のコンテンツにおける〔同じ〕のフラグを有する部分の特徴量と同じ特徴量が今回のコンテンツにおいて最初に連続し始める時刻が検出される（ステップＳ６０）。検出された時刻は、今回のオープニングの開始時刻である。
【０１３５】
この場合、今回のコンテンツの開始時刻、すなわち、午後９時２０分以降から前回のコンテンツと今回のコンテンツに関して特徴量が比較される。その結果、スポーツ延長による時間差が補正される。
【０１３６】
次に、ステップＳ７１，Ｓ７２，Ｓ７３の判定結果が図１７の場合と同一であるが、ステップＳ７９において、今回のコンテンツでは、スポーツ延長が行われていないと判定される場合の処理について、図１４および図１８を参照して説明する。
【０１３７】
ステップＳ７９において、今回のコンテンツを録画する際に、スポーツ延長が行われていないと判定されると、〔同じ〕または〔違う〕のフラグ付け処理が行われる（ステップＳ８２）。
【０１３８】
ステップＳ８２において、〔同じ〕または〔違う〕のフラグ付けの処理が行われたら、ＣＭの判定と〔ＣＭ〕のフラグ付け処理（ステップＳ７７）が行われ、フラグ付け処理が終了する。
【０１３９】
図１８に示すように、前回のコンテンツがあり、前回のコンテンツにフラグが付与されており、前回のコンテンツおよび今回のコンテンツが共にスポーツ延長がなされていない場合、両コンテンツの開始時刻、すなわち、午後９時００分以降から前回のコンテンツと今回のコンテンツに関して特徴量が比較される。
【０１４０】
次に、ステップＳ７２において、前回コンテンツのフラグがないと判定される場合の処理について、図１４および図１９を参照して説明する。ステップＳ７２において、前回のコンテンツにフラグが付与されていないと判定されると、前回のコンテンツを録画する際に、スポーツ延長が行われたか否かが判定される（ステップＳ８３）。
【０１４１】
ステップＳ８３において、スポーツ延長が行われたと判定されると、今回のコンテンツを録画する際に、スポーツ延長が行われたか否かが判定される（ステップＳ８４）。
【０１４２】
ステップＳ８４において、スポーツ延長が行われたと判定されると、今回のコンテンツのＣＭが検出され、〔ＣＭ〕のフラグが付与される（ステップＳ８５）。ステップＳ８５において、〔ＣＭ〕のフラグ付けの処理が行われたら、それ以外の時間に〔不明〕のフラグが付与され（ステップＳ８６）、フラグ付け処理が終了する。
【０１４３】
図１９に示すように、前回のコンテンツにフラグがなく、且つ両コンテンツにスポーツ延長がある場合には、今回のコンテンツのオープニングの開始時刻を検出することができない。したがって、〔不明〕のフラグが付与される。スポーツ延長による時間ずれが分からないために、ＣＭ以外の部分では、フラグを付与することができない。
【０１４４】
次に、ステップＳ７２において、前回コンテンツのフラグがないと判定され、ステップＳ８３において、前回のコンテンツを録画する際に、スポーツ延長が行われていると判定され、ステップＳ８４において、今回のコンテンツにスポーツ延長がない場合の処理について、図１４および図２０を参照して説明する。
【０１４５】
ステップＳ８４において、今回、スポーツ延長が行われないと判定されると、〔ＣＭ〕のフラグ付けの処理（ステップＳ８５）と〔不明〕のフラグ付けの処理（ステップＳ８６）とが順次行われ、フラグ付け処理が終了する。
【０１４６】
図２０に示すように、前回のコンテンツにフラグがなく、且つ前回のコンテンツにのみスポーツ延長がある場合には、今回のコンテンツのオープニングの開始時刻を検出することができない。したがって、〔不明〕のフラグが付与される。スポーツ延長による時間ずれが分からないために、ＣＭ以外の部分では、フラグを付与することができない。
【０１４７】
次に、ステップＳ７２において、前回コンテンツのフラグがないと判定され、ステップＳ８３において、前回のコンテンツを録画する際に、スポーツ延長が行われていないと判定され、ステップＳ８７において、今回のコンテンツにスポーツ延長がある場合の処理について、図１４および図２１を参照して説明する。
【０１４８】
ステップＳ８７において、スポーツ延長が行われたと判定されると、〔ＣＭ〕のフラグ付けの処理（ステップＳ８５）と〔不明〕のフラグ付けの処理（ステップＳ８６）とが順次行われ、フラグ付け処理が終了する。
【０１４９】
図２１に示すように、前回のコンテンツにフラグがなく、且つ今回のコンテンツにのみスポーツ延長がある場合には、今回のコンテンツのオープニングの開始時刻を検出することができない。したがって、〔不明〕のフラグが付与される。スポーツ延長による時間ずれが分からないために、ＣＭ以外の部分では、フラグを付与することができない。
【０１５０】
次に、ステップＳ７２において、前回コンテンツのフラグがないと判定され、ステップＳ８３において、前回のコンテンツを録画する際に、スポーツ延長が行われていないと判定され、ステップＳ８７において、今回のコンテンツにスポーツ延長がない場合の処理について、図１４および図２２を参照して説明する。
【０１５１】
ステップＳ８７において、今回のコンテンツにスポーツ延長が行われていないと判定されると、前回のコンテンツと今回のコンテンツの両者にスポーツ延長がないことになる。この場合では、スポーツ延長による時間ずれが生じないので、ステップＳ８８において、前回のコンテンツと今回のコンテンツの特徴量とを比較し、〔同じ〕または〔違う〕のフラグ付け処理が行われる。
【０１５２】
ステップＳ８８のフラグ付けの処理が行われたら、前回のコンテンツに対しても、今回のコンテンツと同様のフラグが付与される（ステップＳ８９）。このように、前回のコンテンツに対してもフラグを付与することができる。これにより、初回のコンテンツであっても、フラグによる編集を行うことができる。
【０１５３】
ステップＳ８９のフラグ付けの処理が行われたら、前回のコンテンツおよび今回のコンテンツに対して、ＣＭが検出され、〔ＣＭ〕のフラグが付与され（ステップＳ９０）、フラグ付け処理が終了する。
【０１５４】
図２２に示すように、前回のコンテンツにフラグがなくても、前回のコンテンツおよび今回のコンテンツの何れにもスポーツ延長がない場合には、録画開始時刻と今回のコンテンツのオープニングの開始時刻とが一致する。したがって、〔同じ〕または〔違う〕のフラグを付与することができる。
【０１５５】
次に、ステップＳ７１において、前回のコンテンツがないと判定された場合の処理について、図１４および図２３を参照して説明する。この場合では、図２３に示すように、今回のコンテンツのみが存在するので、特徴量の比較により〔同じ〕または〔違う〕のフラグを付与することができない。したがって、〔ＣＭ〕のフラグ付けの処理（ステップＳ８５）と〔不明〕のフラグ付けの処理（ステップＳ８６）とが順次行われ、フラグ付け処理が終了する。
【０１５６】
図１３におけるＤＶＤへの連続番組の書き込み処理（ステップＳ６４）においては、上述したフラグ〔ＣＭ〕、〔スポーツ〕、〔同じ〕、〔違う〕に基づいて選択的になされる。まず、〔ＣＭ〕および〔スポーツ〕のフラグが付与されている部分は、ＤＶＤに書き込む対象から除外される。〔違う〕のフラグが付与されている部分は、番組の本編であるとして、ＤＶＤに書き込む部分として選択される。
【０１５７】
〔同じ〕のフラグが付与されている部分は、番組のオープニングまたはエンディングであるために、最初の番組のオープニングと、最後の番組のエンディングを除いて、ＤＶＤに書き込む対象から除外される。すなわち、〔同じ〕フラグを有するオープニングまたはエンディングに対する書き込み処理として、全てのオープニングおよびエンディングを記録せずに、ＤＶＤに書き込む最初の番組のオープニングと最後の番組のエンディングのみを記録する。
【０１５８】
一例として、連続番組の第１話目から第３話目までの番組をＤＶＤに順に記録する例について、図２４を参照して説明する。図２４Ａ、図２４Ｂ、図２４Ｃは、それぞれ同じシリーズの第１話目、第２話目、第３話目の番組構成の一例を示している。
【０１５９】
図２４Ａに示すように、記録される番組の中で最初の番組である第１話目の番組に関して、オープニングと本編とが記録され、ＣＭとエンディングとが記録されない。図２４Ｂに示すように、第２話目の番組は、本編が記録され、オープニング、ＣＭおよびエンディングが記録されない。図２４Ｃに示すように、記録される番組の中で最も新しい回の第３話目の番組は、本編とエンディングが記録され、オープニングとコマーシャルとが記録されない。
【０１６０】
この処理によって、図２４Ｄに示すように、ＤＶＤには、コマーシャル部分が削除され、オープニングとエンディングが重複して記録されないように編集された結果のデータが記録される。
【０１６１】
なお、複数枚のＤＶＤにまたがって同じシリーズの複数の番組を編集する場合には、各ＤＶＤに図２４Ｄと同様に、オープニングとエンディングとを記録するようにしてもよい。また、１枚目のＤＶＤにのみＤＶＤに記録する最も古い回の番組のオープニングを記録し、最終枚目のＤＶＤにのみＤＶＤに記録する最も新しい回の番組のエンディングを記録するとしてもよい。
【０１６２】
以上説明したように、この発明の一実施形態によれば、連続番組を記録する場合に、同一内容のオープニングおよびエンディングを記録しないように自動的に編集することができる。これによって、連続番組の編集を容易且つ効率的に行うことができる。同一内容の部分の記録を避けることによって、ＤＶＤ等のメディアの容量を有効に利用でき、また、圧縮率を高くすることによる画質劣化を防止できる。
【０１６３】
この発明は、上述したこの発明の実施形態に限定されるものでは無く、この発明の要旨を逸脱しない範囲内で様々な変形や応用が可能である。例えば、上述した一実施形態では、デジタル放送の録画／再生を行う録画再生装置について説明したが、アナログ放送を受信し、アナログデータのまま番組をテープ媒体に録画するＶＣＲ等についても適用することができる。例えば、アナログテレビジョン放送の場合、垂直帰線期間（ＶＢＩ：Vertical Blanking Interval）に重畳されているＥＰＧデータを番組情報とすることができる。
【０１６４】
また、上述した一実施形態では、録画再生装置が有する編集機能について説明したが、この発明による編集装置は、録画再生装置が有する機能ではなく、編集装置単体、ホームサーバ、コンピュータ機器等の他の機器に適用することができる。
【０１６５】
また、上述した一実施形態では、特徴量の抽出にビデオ信号を使用したが、特徴量の抽出には、オーディオ信号を使用してもよい。この場合、例えば、他の番組から抽出された特徴量との比較により、２つの番組において同じ内容である部分が存在するか否かを判定できる所定時間分のデジタルオーディオデータで特徴量を構成する。さらには、特徴量の抽出にビデオ信号とオーディオ信号の両方を使用してもよい。
【０１６６】
また、編集の対象となるハードディスクに記録される録画コンテンツは、テレビジョン放送を受信したものに限らず、ＤＶＤから読み取ったものや、パーソナルコンピュータから取得したもの等であってもよい。
【０１６７】
また、上述した録画再生装置によって行われる各処理の内容は、記載された順序に沿って時系列的に行われることに限らず、例えば各処理が並列的または個別的に行われるものであってもよい。例えば、上述した一実施形態では、自動編集処理を行う際にフラグ付け処理を行うとしたが、フラグ付け処理は、ハードディスクに番組を録画する際に行ってもよい。
【図面の簡単な説明】
【０１６８】
【図１】この発明の一実施形態による録画再生装置の構成の一例を示すブロック図である。
【図２】予約録画処理の流れを示すフローチャートである。
【図３】延長判定処理の流れを示すフローチャートである。
【図４】野球放送が延長されたときの録画内容について説明するための略線図である。
【図５】編集処理の流れを示すフローチャートである。
【図６】編集を行う際にユーザに提示される提示画面の一例を示す略線図である。
【図７】編集を行う際にユーザに提示される提示画面の一例を示す略線図である。
【図８】編集を行う際にユーザに提示される提示画面の一例を示す略線図である。
【図９】編集を行う際にユーザに提示される提示画面の一例を示す略線図である。
【図１０】編集を行う際にユーザに提示される提示画面の一例を示す略線図である。
【図１１】シリーズ判定処理の流れを示す部分的なフローチャートである。
【図１２】シリーズ判定処理の流れを示す部分的なフローチャートである。
【図１３】自動編集処理の流れを示すフローチャートである。
【図１４】フラグ付け処理の流れを示すフローチャートである。
【図１５】フラグ付けを説明するためにコンテンツの例を示す略線図である。
【図１６】フラグ付けを説明するためにコンテンツの例を示す略線図である。
【図１７】フラグ付けを説明するためにコンテンツの例を示す略線図である。
【図１８】フラグ付けを説明するためにコンテンツの例を示す略線図である。
【図１９】フラグ付けを説明するためにコンテンツの例を示す略線図である。
【図２０】フラグ付けを説明するためにコンテンツの例を示す略線図である。
【図２１】フラグ付けを説明するためにコンテンツの例を示す略線図である。
【図２２】フラグ付けを説明するためにコンテンツの例を示す略線図である。
【図２３】フラグ付けを説明するためにコンテンツの例を示す略線図である。
【図２４】編集処理と編集結果のコンテンツを説明するための略線図である。
【符号の説明】
【０１６９】
１・・・録画再生装置
２・・・チューナ
３・・・復調回路
６・・・デマルチプレクサ（ＤＥＭＵＸ）
７・・・ビデオデコーダ
８・・・オーディオデコーダ
９・・・特徴量抽出回路
１０・・・提示処理回路
１１・・・ＣＰＵ
１２・・・ＲＯＭ
１３・・・ＲＡＭ
１５・・・計時回路
１６・・・リモコンインタフェース（Ｉ／Ｆ）
１７・・・ハードディスク（ＨＤＤ）
１８・・・ＤＶＤドライブ
２１・・・コマンダ
３１・・・提示画面
４１ａ，４１ｂ，４１ｃ，４１ｄ，４１ｅ，４１ｆ，４１ｇ，４１ｓ・・・特徴量（前回のコンテンツ）
４２ａ，４２ｂ，４２ｃ，４２ｄ，４２ｅ，４２ｆ，４２ｇ，４２ｓ・・・特徴量（今回のコンテンツ）
【図１】
2006229565.tif 000003
【図２】
2006229565.tif 000004
【図３】
2006229565.tif 000005
【図４】
2006229565.tif 000006
【図５】
2006229565.tif 000007
【図１１】
2006229565.tif 000008
【図１２】
2006229565.tif 000009
【図１３】
2006229565.tif 000010
【図１４】
2006229565.tif 000011
【図２４】
2006229565.tif 000012
【図６】
2006229565.tif 000013
【図７】
2006229565.tif 000014
【図８】
2006229565.tif 000015
【図９】
2006229565.tif 000016
【図１０】
2006229565.tif 000017
【図１５】
2006229565.tif 000018
【図１６】
2006229565.tif 000019
【図１７】
2006229565.tif 000020
【図１８】
2006229565.tif 000021
【図１９】
2006229565.tif 000022
【図２０】
2006229565.tif 000023
【図２１】
2006229565.tif 000024
【図２２】
2006229565.tif 000025
【図２３】
2006229565.tif 000026